(57)【要約】【課題】  複数の外部接続用コネクタのうちの一部を使用する際に、他の外部接続用コネクタを保護可能なカバーを有する携帯端末装置を提供する。【解決手段】  携帯端末装置１０は、複数の外部接続用コネクタ１１と、その複数の外部接続用コネクタ１１を保護する保護カバー１２とを有する。開口部分１６の両側には、カバー収容部１３、１４が設けられており、保護カバー１２は、Ｘ方向に沿って、開口部分１６の両側にスライド移動可能であり、２つの外部接続用コネクタ１１のうちの何れか一方、又は、双方を、露出可能である。【選択図】    図１
2006086027.tif 000002
【特許請求の範囲】
【請求項１】
開口内に列状に配列された複数のコネクタと、該コネクタを保護する１つのカバー部材とを備える携帯端末装置において、
前記カバー部材は、前記開口全体を覆う全閉位置から前記コネクタの配列方向に沿って所定方向及び該所定方向とは逆方向の双方向にスライド移動可能であることを特徴とする携帯端末装置。
【請求項２】
前記カバー部材は、前記全閉位置から前記所定方向にスライドして前記複数のコネクタの全てを露出する第１のスライド位置と、前記全閉位置から前記所定方向とは逆方向にスライドして前記複数のコネクタのうちの１つを除いた全てを露出する第２のスライド位置との間でスライド可能である、請求項１に記載の携帯端末装置。
【請求項３】
前記カバー部材は、前記全閉位置以外では、少なくとも一部がスロット内に収容される、請求項１又は２に記載の携帯端末装置。
【請求項４】
前記カバー部材は、前記複数のコネクタのうちの一部を露出させる第３のスライド位置で、前記スライド移動が制限される、請求項１〜３の何れか一に記載の携帯端末装置。
【請求項５】
前記カバー部材が、プラスチックで形成される、請求項１〜４の何れか一に記載の携帯端末装置。
【請求項６】
携帯電話機として構成される、請求項１〜５の何れか一に記載の携帯端末装置。
【発明の詳細な説明】
【技術分野】
【０００１】
本発明は、携帯端末装置に関し、更に詳しくは、複数の外部接続用コネクタを有する携帯端末装置に関する。
【背景技術】
【０００２】
一般に、携帯端末装置は、筐体の開口部分に、外部接続用コネクタを有している。通常、外部接続コネクタは、未使用時には、端子部分に汚れが付着しないように、カバーが取り付けられて保護されている。外部接続用コネクタのカバーとしては、開口部分に脱着が可能なものや、特許文献１や特許文献２に記載されるような、スライド式のものがある。
【特許文献１】特開平７−２８５５９号公報（図２、段落００４１）
【特許文献２】特開平１０−１５５０１４号公報（図１、段落００１２）
【発明の開示】
【発明が解決しようとする課題】
【０００３】
ところで、近年、携帯電話機等の携帯端末装置の高機能化や、多機能化が進んでおり、これに伴い、携帯端末装置に実装される外部接続用コネクタの数も増加している。従来の携帯端末装置では、例えば図６に示すように、２つの外部接続用コネクタ２１（１）、（２）を備える場合には、その２つの外部接続用コネクタ２１（１）、（２）のそれぞれをカバー２２（１）、（２）で保護している。このため、外部接続用コネクタ数の増加に伴って、カバー数を増加させる必要があり、部品点数の増加によってコストが上昇し、また、装置組み立ての工数が増加するという問題がある。
【０００４】
スライド式のカバーを用いる場合、図７に示すように、同じ開口に２つの外部接続用コネクタ２１（１）、（２）を配置して、その開口の全体を覆うスライド式カバー（シャッター）２３を設けることで、２つの外部接続用コネクタ２１（１）、（２）を同じスライド式カバー２３で保護することができる。しかし、この場合には、外部接続用コネクタ２１（２）のみを使用しようとするときでも、外部接続用コネクタ２１（１）が露出され、使用されない外部接続用コネクタ２１（１）が保護されないという問題がある。
【０００５】
本発明は、上記従来技術の問題点を解消し、複数の外部接続用コネクタのうちの一部を使用する際に、他の外部接続用コネクタを保護可能なカバーを有する携帯端末装置を提供することを目的とする。
【課題を解決するための手段】
【０００６】
上記目的を達成するために、本発明の携帯端末装置は、開口内に列状に配列された複数のコネクタと、該コネクタを保護する１つのカバー部材とを備える携帯端末装置において、前記カバー部材は、前記開口全体を覆う全閉位置から前記コネクタの配列方向に沿って所定方向及び該所定方向とは逆方向の双方向にスライド移動可能であることを特徴とする。
【０００７】
本発明の携帯端末装置では、複数のコネクタを保護するカバー部材を、複数のコネクタの配列方向に沿って、所定方向及び所定方向とは逆方向の双方向にスライド移動可能としている。これにより、複数のコネクタのうちの一部を使用する場合に、カバー部材を、その使用するコネクタの位置に応じて、所定方向、又は、所定方向とは逆方向にスライドさせることで、使用されないコネクタのうちでカバー部材によって保護されないコネクタの数を減少させることができる。
【０００８】
本発明の携帯端末装置では、前記カバー部材は、前記全閉位置から前記所定方向にスライドして前記複数のコネクタの全てを露出する第１のスライド位置と、前記全閉位置から前記所定方向とは逆方向にスライドして前記複数のコネクタのうちの１つを除いた全てを露出する第２のスライド位置との間でスライド可能であることが好ましい。この場合、カバー部材を第１のスライド位置にスライド移動させることで、全てのコネクタを使用することができ、第２のスライド位置にスライド移動させることで、複数のコネクタのうちの１つを除くコネクタを使用可能である。
【０００９】
本発明の携帯端末装置では、前記カバー部材は、前記全閉位置以外では、少なくとも一部がスロット内に収容されることが好ましい。この場合、カバー部材をスロット内に収容させることで、携帯端末装置の美観を向上できる。
【００１０】
本発明の携帯端末装置では、前記カバー部材は、前記複数のコネクタのうちの一部を露出させる第３のスライド位置で、前記スライド移動が制限されることが好ましい。例えば、２つのコネクタがあるときに、コネクタ１つ分を露出される位置でカバー部材のスライド移動が制限されるようにすることで、簡易に、２つのコネクタのうちの１つを露出させることができる。このようなスライド移動の制限は、例えばカバー部材と、携帯端末装置の筐体とに突起物や凹部を形成することで得られる。
【００１１】
本発明の携帯端末装置では、前記カバー部材が、プラスチックで形成されることが好ましい。カバー部材には、変色等が発生しにくいプラスチックを用いることが好ましい。
【００１２】
本発明の携帯端末装置は、携帯電話機として構成できる。
【発明の効果】
【００１３】
本発明の携帯端末装置では、複数のコネクタを保護するカバー部材を、複数のコネクタの配列方向に沿って、所定方向及び所定方向とは逆の方向の双方向にスライド移動可能としている。これにより、複数のコネクタのうちの一部を使用する場合に、カバー部材を、その使用するコネクタの位置に応じて、所定方向、又は、所定方向とは逆方向にスライドさせることで、使用されないコネクタのうちでカバー部材によって保護されないコネクタの数を減少させることができる。
【発明を実施するための最良の形態】
【００１４】
以下、図面を参照し、本発明の実施の形態を詳細に説明する。図１は、本発明の一実施形態の携帯端末装置の外部接続用コネクタ付近を拡大して示している。携帯端末装置１０は、例えば携帯電話機として構成される。携帯端末装置１０は、筐体１５の開口部分１６内に、複数の外部接続用コネクタ１１を備えており、その複数の外部接続用コネクタ１１は、保護カバー１２により保護されている。筐体１５は、開口部分１６の両側に、スロットとして構成されるカバー収容部１３、１４を備えており、保護カバー１２は、同図中に示すＸ方向にスライド移動可能に構成される。
【００１５】
保護カバー１２は、例えばプラスチック等の樹脂で形成され、Ｘ方向の両端に、突起１２ａ、１２ｂを備える。カバー収容部１４は、保護カバー１２のほぼ半分を収容できる大きさに形成される。カバー収容部１３は、保護カバー１２のほぼ全体を収容できる大きさに形成され、保護カバー１２が外部接続用コネクタ１１（２）を露出させた状態で突起１２ａが来る位置に、凹部１３ｂを備える。カバー収容部１３、１４は、それぞれ、開口部分１６側に突起１３ａ、１４ａを備える。保護カバー１２は、突起１２ａ、１２ｂと、カバー収容部の突起１３ａ、１４ｂとが引っ掛かることにより、全閉状態で固定される。
【００１６】
外部接続用コネクタ１１（１）のみを使用する際には、図２に示すように、保護カバー１２を、カバー収容部１４が存在する方向にスライドして、外部接続用コネクタ１１（２）を保護しつつ、外部接続用コネクタ１１（１）を開口部分１６から露出させる。また、外部接続用コネクタ１１（２）のみを使用する際には、図３に示すように、保護カバー１２を、カバー収容部１３が存在する方向にスライドして、外部接続用コネクタ１１（１）を保護しつつ、外部接続用コネクタ１１（２）を露出させる。この状態では、カバー収容部１３の凹部１３ｂに、保護カバー１２の突起１２ａがはまり込むことにより、保護カバー１２は半開状態で保持される。外部接続用コネクタ１１（１）、（２）の双方を使用する際には、図４に示すように、保護カバー１２を、図３に示す位置から更に奥にスライドして、外部接続用コネクタ１１（１）、（２）の双方を露出させる。
【００１７】
本実施形態では、１つの保護カバー１２により、複数の外部接続用コネクタ１１を保護するため、外部接続用コネクタ１１ごとに保護カバーを設ける場合に比して、部品点数を削減することができる。このため、部品コストを削減できると共に、組み立て工数を削減できる。また、保護カバーにエラストマーを使用する場合には、変色等が発生することが多かったが、本実施形態では、保護カバー１２の材料にプラスチックを用いることで、変色等を防ぐことができる。
【００１８】
従来の携帯電子機器では、保護カバーは、一方向にしかスライドしなかったため、例えば図１において、保護カバー１２がカバー収容部１３に収容される方向にのみスライドする場合には、外部接続用コネクタ１１（１）を保護した状態で、外部接続用コネクタ１１（２）を使用することはできても、外部接続用コネクタ１１（２）を保護した状態で、外部接続用コネクタ１１（１）を使用することはできなかった。本実施形態では、保護カバー１２を開口部分１６の両側方向へそれぞれスライド可能に構成しているため、使用されない外部接続用コネクタ１１を保護した状態で、使用する外部接続用コネクタ１１のみを露出させることができる。
【００１９】
ここで、図５に示すように、携帯端末装置１０が開口部分１６内に３つの外部接続用コネクタ１１を備える場合について考える。この場合、保護カバー１２をカバー収容部１３方向へスライドすることにより、右端の外部接続用コネクタ１１のみを露出させることができ、保護カバー１２をカバー収容部１４方向へスライドすることにより、左端の外部接続用コネクタ１１のみを露出させることができる。これに対し、保護カバー１２が一方向にのみスライド可能に構成されている場合には、右端の外部接続用コネクタ１１のみを露出させる状態と、左端の外部接続用コネクタ１１のみを露出させる状態とを作り出すことはできない。
【００２０】
外部接続用コネクタ１１が３つ以上ある場合には、保護カバー１２によって、使用する外部接続用コネクタ１１のみを露出させることができない場合がある。しかしながら、この場合でも、保護カバー１２が、開口部分１６の両側方向にスライド可能に構成することで、保護カバー１２が一方向にのみスライド可能に構成されている場合に比して、外部接続用コネクタ１１の一部を使用する際に、保護できる外部接続用コネクタ１１の数を増やすことができる。
【００２１】
以上、本発明をその好適な実施形態に基づいて説明したが、本発明の携帯端末装置は、上記実施形態例にのみ限定されるものではなく、上記実施形態の構成から種々の修正及び変更を施したものも、本発明の範囲に含まれる。
【図面の簡単な説明】
【００２２】
【図１】本発明の一実施形態の携帯端末装置の外部接続用コネクタ付近の断面を示す断面図。
【図２】図１の保護カバー１２をスライドさせた状態を示す断面図。
【図３】図１の保護カバー１２をスライドさせた状態を示す断面図。
【図４】図１の保護カバー１２をスライドさせた状態を示す断面図。
【図５】外部接続用コネクタを３つ有する例を示す断面図。
【図６】従来の携帯端末装置の外部接続用コネクタ付近の断面を示す断面図。
【図７】スライド式のカバーにより外部接続用コネクタを保護する例を示す断面図。
【符号の説明】
【００２３】
１０：携帯端末装置
１１：外部接続用コネクタ
１２：保護カバー
１３、１４：カバー収容部
１５：筐体
１６：開口部分
【図１】
2006086027.tif 000003
【図２】
2006086027.tif 000004
【図３】
2006086027.tif 000005
【図４】
2006086027.tif 000006
【図５】
2006086027.tif 000007
【図６】
2006086027.tif 000008
【図７】
2006086027.tif 000009